(57)【要約】      （修正有）【課題】ハンドルを１区画廻すと１日・１回分が縦１列に薬品排出窓に現れ、表示プレート各項目毎に１回分を取り出せる収納容器の提供。【解決手段】薬品収納室１７を引くと、ガイド板２０、スリット２１、斜面、突起１０、停止位置１１にて薬品収納室１７は傾斜して停止し、滑落防止される。【選択図】図５
0003136697.tif 000002
【実用新案登録請求の範囲】
【請求項１】
薬を１回に服用すべき単位で区分けして収納する薬箱であって、縦１列に、回転盤４の１日分・１回分の薬品収納室１７が各段が区分してある。上部のハンドルを１区画廻すと一斉に、その日の１日分を薬品排出窓２に現れる、本発明では薬品収納室１７を引き出すと、薬品収納室１７が前部を下にして傾斜した状態で停止します。斜めになっているので内容物が残留していないか、薬品収納室１７の底まで見えているので確認できる。縦一列に並べた収納容器である。
【請求項２】
回転盤４に配置された薬品収納室１７は各段それぞれの項目毎に１枚の回転盤４に約２週間分の配薬が備蓄され区分別に収められ、これらを数段積み重ね縦１列に１回分の服用すべき単位の薬が提供される引出しである。
【請求項３】
本考案は、各種症状、多用途、の薬を服用している、高齢者の方々に便利に使用出来る、日替り回転式薬箱を開発致しました。上部ハンドル７を１区画を廻し１日分の薬を朝・昼・夕・食前・食後・その他を各項目別に縦１列に薬品排出窓２に出現する収納容器である。
【請求項４】
本考案は図１に示す通り、薬品収納室１７が斜行し、内容物（薬）が取り出しやすく又、薬品収納室１７の内容物の残留も確認でき、自体も滑落しないのが特徴である。
【考案の詳細な説明】
【技術分野】
【０００１】  本考案はお年寄りに欠かせない、毎日の服用する朝、昼、夕、食前、食後、その他、痛み止め、血圧調整剤、抗癌剤、副作用止め等に、安全且つ確実に実行出来る収納容器である。【０００２】  本考案は上部に設置したハンドル７による日替わりに、配薬する請求項１記載の装置。【０００３】  本考案は図１に示す通り、薬品収納室１７が斜行しても滑落しないのが特徴である。
【考案の開示】
【考案が解決しようとする課題】
【０００４】  以上に述べた誤服用を防ぐ目的を達成させるめ、表示プレート１６に朝、昼、夕、食前、食後、唾眠前、等に項目別に書いておくと確実で便利ある。【０００５】  本考案では丸形にて機能が効果的である。ハンドル７を１区画廻わすと１日・１回分を縦１列に薬品排出窓２に現れ、表示プレート各項目毎に１回分を取り出せる収納容器である。
【課題を解決するための手段】  本考案は上記目的を達成するため、図１〜図９に基ずいて説明する。【０００６】  図１、においては全体の斜視図である、薬品収納室１７を引くと止め具５の斜面９を摩擦により上昇して止め具５の突起１０により停止する。回転盤４の端８の接触点により、前面が斜行して滑り降りる。元に戻す時には、そのまま押し込むとよいのである。【０００７】  回転盤４に設置してある取付け穴２５にハンドル７を取付け、回転角形軸６を各段に通し、回転盤４が同じ回転をする構造になっている。
【本考案の詳細な説明】
【０００８】  本考案は、より広く、より多くのお年寄りの手助けになればと日頃より考えておりました。単純な工程で生産性が高く（図２、図７）は成形鋳造加工も簡単で安価に提供出来るのであります。（図３）は回転盤４への薬品収納室１７の配置、実行図であります。１回分を１つの薬品収納室１７で間違いなく安心して取り出せ服用できるのが特徴である。
【０００９】  本考案は、回転盤４を数段積み重ね、縦１列に薬品排出窓２に現れ、１日分が１列に分かる構造の収納容器である。
【００１０】  本考案は薬品収納室１７を引くとガイド板２０のスリット２１を通過して止め具５の斜面９を摩擦して上昇する、突起１０に接触して停止します。回転盤の端８接触点を移動して、薬品収納室１７が反対に前面を下向きに傾斜するので、中の薬を取り出しやすく、滑落防止策をしているのが特徴である。
【図面の簡単な説明】
【００１１】
【図１】  本考案の実施例を示す、本体１の全体図と扉を明け、回転盤４より薬品収納室１７が引き出された実施例の斜視図である。
【図２】  本考案の実施例を示す回転盤４に止め具５を配置した斜視図である。薬品収納室１７が引き出され、ガイド板２０のスリット２１止め具５突起１０により停止し滑落防止された斜視図である。ボス２６取付け穴２５の長さは回転盤４の積上げの高さ基準である。
【図３】  本考案の実施例を示す回転盤４に薬品収納室１７を配置し内１個を引き出し止め具５にガイド板２０の接触した状態の上面直視図である。
【図４】  本考案の実施例、ハンドル７と回転角形軸６をボス２６の取付け穴２５に通し、回転盤４を重ねた図である。薬品収納室１７を引くとガイド板２０のスリット２１止め具５突起１０停止位置１１で静止し滑落防止された実施例の斜視図である。
【図５】  本考案の実施例を示す、薬品収納室１７ガイド板２０スリット２１止め具５の斜面９を摩擦上昇して、突起１０に接触した状態である。回転盤端８を基点に、引出し１７は傾いて停止した横面図である。
【図６】  本考案の実施例を示す、薬品収納室１７収容室１８つまみ１９ガイド板２０スリット２１の斜視図である。
【図７】  本考案の実施例を示す、ハンドル７と回転角形軸６を接続した斜視図である。
【図８】  本考案の実施例を示す、突起１０停止位置１１斜面９止め具５で構成した直視図である。
【図９】  本考案の実施例を示す、パイプ２７は回転盤４の最下段が回転時に本体１底部の接触の抵抗を軽減する。薬品収納室１７が引出され底部が床面に接触を防ぐ目的のパイプ２７の斜視図である。
【符号の説明】
【００１２】  １  本体
２  薬品排出窓
３  扉
４  回転盤
５  止め具
６  回転角形軸
７  ハンドル
８  回転盤の端
９  斜面
１０  突起
１１  停止位置
１２  段差基準
１３  蝶番
１４  ○形鍵穴
１５  凸形鍵受
１６  表示プレート
１７  薬品収納室
１８  収容室
１９  つまみ
２０  ガイド板
２１  スリット
２２  持ち手
２３  最下段
２４  実行最下位置
２５  取付け穴
２６  ボス
２７  パイプ
【図１】
0003136697.tif 000003
【図２】
0003136697.tif 000004
【図３】
0003136697.tif 000005
【図４】
0003136697.tif 000006
【図５】
0003136697.tif 000007
【図６】
0003136697.tif 000008
【図７】
0003136697.tif 000009
【図８】
0003136697.tif 000010
【図９】
0003136697.tif 000011
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
本体と、該本体の中央部分に設けた回転角型軸と、該回転角型軸の長手方向に設けた複数の回転盤と、該各回転盤のそれぞれに裁置した複数の薬品収納室と、スリットを有し該薬品収納室から該回転角型軸方向に延びるガイド板を備えた日替り回転式薬箱であって、
前記回転角型軸の上部に該複数の回転盤を回転させるためのハンドルがとりつけられており、前記各薬品収納室には前記スリットを通る突起を有する止め具が前記各薬品収納室毎に設けられていることを特徴とする日替り回転式薬箱。
【請求項２】
前記各回転盤毎に裁置された薬品収納室が引き出されたときにガイド板のスリットを通る突起により、その前面が下向きに傾斜した状態で停止することを特徴とする請求項１記載の日替り回転式薬箱。
【請求項３】
前記本体には、各回転盤毎に裁置された前記薬品収納室が縦１列に積み重ねられたことを特徴とする請求項１又は２記載の日替り回転式薬箱。